(57)【特許請求の範囲】
【請求項１】
複数の融着圧縮部を有する吸収性物品用表面シートであって、融着圧縮部が表面シートの厚み方向最下面に位置し、表面シートのおもて面において、非融着圧縮部は融着圧縮部より隆起した隆起部を形成しており、融着圧縮部の周縁には融着圧縮部から隆起部へ向けて立ち上がる側壁部が存在し、密度が隆起部の中央部、側壁部、融着圧縮部の順に大きくなっており、側壁部の裏面において融着圧縮部を取り囲むように凹部または表面シート内で最も密度が低い低密度領域が存在し、隆起部の頂上部の裏面は凹んでおらず、融着圧縮部の裏面が平らであることを特徴とする表面シート。
【請求項２】
融着圧縮部が非融着圧縮部よりも表面シートの厚み方向下側に位置することを特徴とする請求項１に記載の表面シート。
【請求項３】
非融着圧縮部の厚み方向最上面の密度が、非融着圧縮部の厚み方向内部の密度よりも低いことを特徴とする請求項１または２に記載の表面シート。
【請求項４】
表面シートが表面層とセカンド層の２層からなることを特徴とする請求項１〜３のいずれか１項に記載の表面シート。
【請求項５】
請求項１〜４のいずれか１項に記載の表面シートを製造する方法であって、表面シートを、複数の凸部を有する部材と、当該複数の凸部に噛み合う複数の凹部を有する部材との間に配置し、当該凸部を当該凹部に押し込むことにより、複数の融着圧縮部を有する吸収性物品用表面シートを製造する方法。
【請求項６】
当該複数の凸部を有する部材と当該複数の凹部を有する部材が、１対の連動するエンボスロールであることを特徴とする請求項５に記載の方法。
【請求項７】
請求項１〜４のいずれか１項に記載の表面シート、吸収体、および液不透過性の裏面シートからなる吸収性物品であって、当該吸収体が当該表面シートと当該裏面シートとの間に配置され、当該表面シートの融着圧縮部が当該吸収体と接するように配置されている、吸収性物品。
【発明の詳細な説明】
【技術分野】
【０００１】
本発明は、生理用ナプキンや使い捨ておむつのような吸収性物品の表面シートおよびその製造方法ならびにその表面シートを用いた吸収性物品に関する。
【背景技術】
【０００２】
特許文献１には、エンボス加工によって形成された多数の熱融着部を有する不織布であって、熱融着部間において不織布を構成する繊維が、不織布の厚さ方向に突出して、上下面それぞれに多数の隆起部を形成している吸収性物品の表面シートが開示されている。また、不織布は上層およびこれに隣接する下層を有しており、潜在捲縮性繊維を５０重量％以上含む下層と、実質的に熱収縮性を有しないかまたは潜在捲縮性繊維の捲縮開始温度以下では熱収縮しない熱融着繊維を含む上層を積層し、下層の側からエンボス加工を行い多数の熱融着部によって両ウェブを部分的に接合させて不織布となすと共に、下層における熱融着部の周囲に位置する潜在捲縮性繊維を予備的に捲縮させ、次いで不織布を潜在捲縮性繊維の捲縮開始温度以上の温度で熱処理し下層を収縮させて、上層および下層それぞれを不織布の厚さ方向に突出させ隆起部を多数構成する製造方法が開示されている。
【０００３】
特許文献２には、吸収性物品の表面シートが熱融着性繊維を含み、表面シートの下には熱融着性繊維を含むセカンド層が設けられており、表面シートとセカンド層が一緒に圧縮され、かつ表面シートとセカンド層とが融着されたものが開示されており、その吸収性物品は、表面シートとセカンド層とが加熱されたロール間に挟み込まれてエンボス部が形成され、このときセカンド層の表面に表面がフラットなロールを当て、表面シート側に表面から凸部が形成されたエンボスロールを当てることによって製造されることが記載され（段落［００６８］）、そのようにして得られたものの断面は、表面シートとセカンド層が融着された融着部が、厚み方向最下部に位置するような、表面側が凹凸、裏面側がフラットな構造であることが図示されている（図４）。
【０００４】
【特許文献１】特許第３８６８８９２号公報
【特許文献２】特開２００４−１８１０８６号公報
【発明の開示】
【発明が解決しようとする課題】
【０００５】
特許文献１に記載された吸収性物品の表面シートは、熱融着部に対して不織布の厚み上下方向へ多数の隆起部があり、熱融着部は表面シートの中で最も密度が高い部分となり、隆起部は熱融着部よりも密度が低い部分となる。すなわち、隆起部の頂点が最も密度が低く、熱融着部に近づくに従って次第に密度が高くなる凸凹構造となっている。一方、身体から排出される体液等の液体は、毛細管現象により密度が疎から密へと向かい流れこむ。したがって、そのような構造の不織布を吸収性物品の表面シートとして用いた場合、身体から排出された液体は、最初に隆起部から浸透し、不織布の粗密構造により最も密度の高い熱融着部へと流れ込む。しかしながら、厚み方向の下側に突出した下層側の隆起部は熱融着部よりも密度が低いため、液体を下層側へと移行させることが非常に困難である。よって、体液は熱融着部で溜まってしまい、連続して排出されたり、多量に排出されたときには、上層で体液が溜まり大きく拡散してしまい、肌へのベタつき感を与えたり拡散面積が広がることにより、モレへの不安を生じさせたり、多量に排出されたときには、表面で広がった結果、実際にモレを生じさせてしまう、という課題があった。また、製造方法においても、下層側に潜在捲縮性繊維を含むことが必須となるため、繊維が制約されてしまう、また潜在捲縮性繊維は比較的高価であるため、コストが高くなる、あるいは、上層と下層を重ねてエンボス加工をした後に、さらに下層の潜在捲縮性繊維を熱処理させて繊維を収縮させることが必要になるため、製造ラインが大きくなり煩雑化する、設備コストが高くなる、という課題もあった。
【０００６】
特許文献２の図４に記載された構造の吸収性物品は、融着部が厚み方向最下面に位置しているので、融着部が吸収体と接触しており、融着部に流れ込んだ液体は吸収体へとスムーズに移行され、融着部に液体が滞留することがなくなる。しかしながら、非融着部の底部も吸収体と接触しているので、着用者が様々な体勢や行動を行った場合に、吸収性物品に身体からの圧力（＝体圧）が加えられ、吸収体には圧力が加えられて、吸収体が液体を放出し、非融着部の底部を通って逆流し、表面シートを広く汚してしまい、モレ不安を抱かせる、または多量に逆流した結果、実際にモレが生じる場合があった。
【課題を解決するための手段】
【０００７】
本発明は、複数の融着圧縮部を有する吸収性物品用表面シートであって、融着圧縮部が表面シートの厚み方向最下面に位置し、表面シートの裏面において融着圧縮部を取り囲むように凹部または表面シート内で最も密度が低い低密度領域が存在することを特徴とする。
また、本発明の吸収性物品用表面シートは、融着圧縮部が非融着圧縮部よりも表面シートの厚み方向下側に位置することを特徴とする。
また、本発明の吸収性物品用表面シートは、表面シートのおもて面において、非融着圧縮部は融着圧縮部より隆起した隆起部を形成しており、融着圧縮部の周縁には融着圧縮部から隆起部へ向けて立ち上がる側壁部が存在し、密度が隆起部の中央部、側壁部、融着圧縮部の順に大きくなっていることを特徴とする。
また、本発明の吸収性物品用表面シートは、非融着圧縮部の厚み方向最上面の密度が、非融着圧縮部の厚み方向内部の密度よりも低いことを特徴とする。
また、本発明の吸収性物品用表面シートは、表面層とセカンド層の２層からなることを特徴とする。
【０００８】
本発明は、表面シートを、複数の凸部を有する部材と、当該複数の凸部に噛み合う複数の凹部を有する部材との間に配置し、当該凸部を当該凹部に押し込むことにより、複数の融着圧縮部を有する吸収性物品用表面シートを製造する方法である。
また、本発明の方法は、当該複数の凸部を有する部材と当該複数の凹部を有する部材が、１対の連動するエンボスロールであることを特徴とする。
【０００９】
本発明は、前記の表面シート、吸収体吸収体、および液不透過性の裏面シートからなる吸収性物品であって、当該吸収体吸収体が当該表面シートと当該裏面シートとの間に配置され、当該表面シートの融着圧縮部が当該吸収体吸収体と接するように配置されている、吸収性物品である。
【発明の効果】
【００１０】
本発明の吸収性物品用表面シートは、融着圧縮部が厚み方向最下面に位置するので、融着圧縮部が吸収体と接触することができ、表面シートに浸透し融着圧縮部に流れ込んだ液体は吸収体へとスムーズに移行され、かつ表面シートの裏面において融着圧縮部を取り囲むように凹部または表面シート内で最も密度が低い低密度領域が存在するので、吸収性物品に体圧が加えられたときに吸収体に吸収されていた液体が非融着圧縮部の底部を通って逆モレすることも少ない。
【発明を実施するための最良の形態】
【００１１】
本発明を、以下、図面を用いて説明するが、本発明は図面に示されたものに限定されるものではない。
図１は本発明の吸収性物品用表面シートの１つの実施態様の平面図であり、図２はそのＡ−Ａ′線の部分断面図である。表面シート１は複数の融着圧縮部２を有し、融着圧縮部２は表面シート１の厚み方向最下面に位置し、表面シート１の裏面において融着圧縮部２を取り囲むように凹部３が存在している。
【００１２】
図３は、本発明の吸収性物品用表面シートの第２の実施態様の断面図である。この実施態様においては、表面シート１は不織布から構成され、表面シート１の裏面において融着圧縮部２を取り囲むように、表面シート内で最も密度が低い低密度領域４が存在している。
【００１３】
図４は、本発明の吸収性物品用表面シートの第３の実施態様の断面図である。この実施態様においては、表面シート１は表面層５とセカンド層６の２層からなり、表面層５とセカンド層６はそれぞれ不織布から構成されている。表面シート１の裏面において融着圧縮部２を取り囲むように凹部３が存在している。
【００１４】
図５は、本発明の吸収性物品用表面シートの第４の実施態様の断面図である。この実施態様においては、表面シート１は表面層５とセカンド層６の２層からなり、表面層５とセカンド層６はそれぞれ不織布から構成されている。融着圧縮部２を取り囲むように凹部３が存在しており、融着圧縮部２が非融着圧縮部よりも表面シートの厚み方向下側に位置している。
【００１５】
ここで、融着圧縮部が表面シート１の厚み方向最下面に位置するとは、非融着圧縮部の表面シート裏面側の面が、融着圧縮部２の表面シート裏面側の面１８を含む平面１９よりも厚み方向裏面側に突き出ていない状態をいう。図２〜図５の断面図で説明するならば、非融着圧縮部の表面シート裏面の最下部２０は、融着圧縮部２の表面シート裏面側の面１８と同じ平面１９にあるか（図３および図４）またはそれより表面シートおもて面側にある（図２および図５）。非融着圧縮部の表面シート裏面の最下部２０が融着圧縮部２の表面シート裏面側の面１８を含む平面１９より表面シートおもて面側にあるとは、融着圧縮部２が非融着圧縮部よりも表面シートの厚み方向下側に位置していると言い換えることができ、図２および図５に示されるものはその例である。なお、吸収性物品が生理用ナプキンまたは使い捨ておむつである場合、表面シートおもて面が肌当接面である。
【００１６】
本発明の吸収性物品用表面シートの構造を、図４を参照しながら、以下、より詳細に説明する。表面シート１は、表面層５とセカンド層６が重ねられて、融着圧縮部２により表面層５とセカンド層６が接合されている。また、表面シート１は、融着圧縮部２が表面シート１の厚み方向の最下面に位置し、表面層側へ隆起した隆起部７を有し、隆起部７は融着圧縮部２と隣り合う融着圧縮部２の間に位置して、融着圧縮部２と隆起部７が表面シート１の平面方向に交互に繰り返される凹凸構造を有する。また、融着圧縮部２の周縁、断面図では両サイド部分には、融着圧縮部２から隆起部７へ向けて立ち上がる側壁部８を有している。表面シート１の裏面を見ると、融着圧縮部２を取り囲むように凹部３が存在する。ここで、表面シート１における相対的な密度の大小関係は、側壁部８は隆起部の頂上部９よりも密度が高く、融着圧縮部２が表面シート１内で最も密度が高く、頂上部９＜側壁部８＜融着圧縮部２の密度関係が成立している。表面層５およびセカンド層６を形成する不織布の繊維の向きは、隆起部７の頂上部９では表面シート面（厚さ方向に垂直な平面）方向にほぼ平行に配列しているが、隆起部７の頂上部９から側壁部８を経由して融着圧縮部２へ至るに従って、不織布の繊維の向きは厚み方向に近づいていく。
【００１７】
表面シートの平面構造について、以下、説明する。表面シート１における融着圧縮部２の配列については、千鳥状、格子状、直線状、曲線状など、任意のパターンで配列することができる。融着圧縮部２の形状は、円、楕円、正方形、長方形、菱形、星型、ハート型などの任意の形状でかまわない。融着圧縮部２の大きさは、融着圧縮部２の形状が円の場合は直径、楕円の場合は長軸、正方形の場合は１辺、長方形の場合は長辺が、０．５ｍｍ〜１５ｍｍであることが好ましい。０．５ｍｍ未満であると、加工時に破れる虞があり、また表面層５とセカンド層６の接合強度が十分に確保されず、使用中に剥離してしまう虞がある。一方、１５ｍｍを超えると、融着圧縮部２が大きすぎて硬さが生じ、吸収性物品の表面シートとして適さない違和感を与える虞がある。また、融着圧縮部２と隣り合う融着圧縮部２の間隔は、２〜２０ｍｍであることが好ましい。２ｍｍ未満であると、融着圧縮部２と隣り合う融着圧縮部２の間の隆起部７の密度が高くなりすぎるため、液体のスムーズな移行を妨げる虞がある。また、２０ｍｍを超えると、間隔がまばら過ぎて、表面層５とセカンド層６の接合強度が十分に確保されず、使用中に剥離してしまう虞がある。また、融着圧縮部２の形状、融着圧縮部２同士の間隔や配列は、必ずしも表面シート１内において全て同じである必要はなく、前記の範囲内であれば、異なる形状やパターンを組み合わせてもよい。
【００１８】
表面シートを構成する材料としては、不織布が好ましいが、それに限定されない。表面シートが、表面層とセカンド層の２層からなる場合は、表面層とセカンド層の材料の組み合わせとしては、表面層／セカンド層が、不織布／不織布、多孔性プラスティックシート／不織布、不織布／多孔性プラスティックシートの組み合わせから選択される。不織布としては、ポリエチレン、ポリプロピレン、ポリエチレンテレフタレート等の熱可塑性樹脂を素材とし、各樹脂を単独、もしくは芯鞘タイプ、芯鞘の偏芯タイプ、サイドバイサイドタイプの複合の合成繊維としたものを用いることができる。これらの不織布としては、濡れ性をコントロールするために、これらの繊維表面に親水性や撥水性を付着させたり、練りこませたりすることができる。これらの繊維を熱融着、水流交絡、スパンボンド等で単独または複合した不織布を用いる。体液との親水性を考慮した場合、パルプ、化学パルプ、レーヨン、アセテート、天然コットンなどのセルロース系の親水性繊維が含まれているものであってもよい。使用する繊維は１．１〜６．６ｄｔｅｘが好ましく、目付は１５〜１２０ｇ／ｍ2の範囲で調整するのが好ましい。表面層／セカンド層が不織布／不織布の場合は、セカンド層の不織布の密度が表面層の不織布の密度よりも高いことが、液体の移行性を考慮した場合、好ましい。すなわち、液体は密度の高い方へ移行する傾向があるので、表面層の密度よりも高い密度のセカンド層を設けることにより、身体から排出される液体の吸収を促進し、かつ一旦吸収された液体の液戻りを防ぐことができる。表面層やセカンド層は、前記の材料をそれぞれ１層で使用してもよいし、２つ折または３つ折等して２層または３層にして用いてもよいし、４層以上にして用いてもよい。また、表面層とセカンド層の層間において、ホットメルト接着剤を適宜用いてもよい。
【００１９】
本発明の吸収性物品用表面シートによると、表面シートは複数の融着圧縮部を有し、この融着圧縮部間に隆起部が存在し、且つ、融着圧縮部が表面シートの厚み方向最下面に位置し、この融着圧縮部の周縁には、融着圧縮部から隆起部へ向けて立上る側壁部を有し、かつ表面シートの裏面において融着圧縮部を取り囲むように凹部または表面シート内で最も密度が低い低密度領域が存在するよう成形されている。前記表面シートにおいて、隆起部は圧縮されていなくて、最も密度が高い部分は融着圧縮部である。また、隆起部から融着圧縮部に向かうに従って、表面シート密度は増大している。前記構造の表面シートを吸収性物品の表面シートとして用いた場合、最も高密度である融着圧縮部が厚み方向最下面に位置するので、吸収体と接触することとなる。前記の構造によって、身体から排出された液体は、最初に最表面の隆起部に接触し、浸透し始め、表面シートの粗密構造に従って、側壁部を経由し融着圧縮部へと流れ込む。ここで、融着圧縮部は表面シートの厚み方向最下面に位置し、吸収体に接触しているため、融着圧縮部に流れ込んだ液体は、吸収体へとスムーズに移行され、融着圧縮部に液体が滞留することがなくなる。また、表面シートの裏面において融着圧縮部を取り囲むように凹部または表面シート内で最も密度が低い低密度領域が存在している。そのため、側壁部に液体が流れ込む時に、それ以外の部位に液体は移行しなくなるため、表面シートの最下点、言い換えれば吸収体に接触する融着圧縮部のみへ必然的に液体が集まることとなり、スムーズかつ効率的に、吸収体へと受け渡すことが可能となり、液体を広げることが無い。引続き繰り返して体液が排出されたときについても、初回の吸収挙動と同じように、隆起部から融着圧縮部、融着圧縮部から吸収体へとスムーズな液体移動が促進され、拡散面積を小さく吸収を完結させることが可能となる。よって、本発明の吸収性物品用表面シートは、体液を表面シート上で滞留させたり広げることなく、表面シートから吸収体へとスムーズに移行させることができるため、モレ不安やモレを引き起こさない表面シートである。
また、好ましい実施態様においては、非融着圧縮部の厚み方向最上面２１（すなわち隆起部の頂上部）の密度と非融着圧縮部の厚み方向内部２２の密度を比較すると、前者の方が低い。表面シートが表面層とセカンド層の２層からなる場合は、非融着圧縮部の厚み方向最上面２１における表面層の密度は、その真下のセカンド層との界面における表面層の密度よりも低い。この実施態様においては、身体から排出された液体は、まず、肌に最も近い非融着圧縮部の厚み方向最上面２１に接触し浸透するが、最上面２１よりも密度の高い内部２２に速やかに移行する。なお、内部２２に浸透した液体は、その後、側壁部の方へ移行し、次いで融着圧縮部へ移行する。表面シートが表面層とセカンド層の２層からなる場合は、セカンド層の方が密度が高いので、内部２２に浸透した液体はセカンド層に移行し、その後、側壁部を経由して融着圧縮部へ移行する。したがって、この実施態様によれば、液体が表面から速やかに内部に移行するので、表面に液体が滞留せず、表面を快適に保つことができるとともに、液体の総括的な吸収速度も大きくなるという効果がある。
【００２０】
ここで、通常は、吸収性物品は、使用者が様々な体勢や行動を行った場合に、吸収性物品に身体からの圧力（すなわち体圧）が加えられ、吸収体には圧力が加えられてしまう。吸収体が液体を放出するが、吸収体は、一般的にパルプ層を主に構成されているが、圧力によりパルプ繊維間が圧縮され、パルプ繊維間に保持している液体が放出され、表面シートを濡れ伝わって、逆流し、表面シートを広く汚してしまい、モレ不安を抱かせる、または多量に逆流した結果、逆流した液体が肌に付着したり、横モレや後モレを引き起こす場合があった。しかしながら、本発明の表面シートにおいては、吸収体が体液を吸収した後に、体圧が吸収性物品に加えられた場合でも、吸収体と表面シートの間に空間（凹部に相当する部分）または低密度領域が存在するため、吸収体から放出された体液が表面シートのおもて面へ逆流するのを防げる。また、融着圧縮部は吸収体に接しているが、融着圧縮部＞側壁部＞隆起部の密度勾配が成立しているため、吸収体から融着圧縮部を経て表面シートの肌側に液体が移行しにくい。よって、体液を表面シート上で滞留させたり広げることなく、表面層からセカンド層へ、セカンド層から吸収体へとスムーズに移行させることができるだけでなく、一旦吸収体へと吸収させた液体を、表面シートへ戻して広げることが無いため、モレ不安やモレを引き起こすことが少ない。なお、体圧が加わったときの液の吸収体から表面シートへの逆流を防ぐ効果は、融着圧縮部の囲りに低密度領域が存在するときよりも、凹部が存在するときすなわち吸収体と表面シートの間に空間が存在するときの方が、吸収体から放出された体液がその空間に滞留することができるので、大きい。
【００２１】
本発明の吸収性物品用表面シートは、表面シートを、複数の凸部を有する部材と、当該複数の凸部に噛み合う複数の凹部を有する部材との間に配置し、当該凸部を当該凹部に押し込むことにより、製造することができる。
【００２２】
図６は、本発明の吸収性物品用表面シートを製造するために用いることができる複数の凸部を有する部材１０と複数の凹部を有する部材１１の断面図、およびそれらの部材を用いた本発明の吸収性物品用表面シートの製造工程の１つの例を示す。複数の凸部を有する部材１０と複数の凹部を有する部材１１は、好ましくは、１対の連動するエンボスロールであり、一方のエンボスロールに設けられた凸部１３がもう一方のエンボスロールの凹部１４に噛み合うようになっている。図６の（Ａ）は複数の凸部を有する部材１０の凸部１３が複数の凹部を有する部材１１の凹部１４に押し込まれる前の状態を示し、図６の（Ｂ）は複数の凸部を有する部材１０の凸部１３が複数の凹部を有する部材１１の凹部１４に押し込まれたときの状態を示す。図６の（Ｃ）は、エンボスロールを通過した後、まだ搬送張力がかかった状態の表面シートの断面図を示す。図６の（Ｄ）は、搬送張力から開放された後の表面シートの断面図を示す。
【００２３】
表面シート１２を、張力をかけた状態でライン搬送しながら、複数の凸部を有する部材１０と複数の凹部を有する部材１１の間に挟みこむ。なお、表面シート１２が表面層とセカンド層の２層からなる場合は、表面層が複数の凸部を有する部材１０に接し、セカンド層が複数の凹部を有する部材１１に接するような状態で、挟みこむ。このとき、複数の凸部を有する部材１０と複数の凹部を有する部材１１は、表面シート１２（２層からなる場合は表面層とセカンド層の両方）を十分に軟化させられる温度に加温しておく。複数の凸部を有する部材１０の凸部１３が複数の凹部を有する部材１１の凹部１４に押し込まれると、凸部１３が表面シート１２を、凹部１４の中へ押し込みながら腑型し、凸部１３の先端１５と凹部１４の底部１６が合わさったときに、表面シート１２に温度と圧力が加えられて溶融し、図６の（Ｂ）に示すように、もとの表面シート１２の最下面よりさらに下へ向かう突出部１７を伴う融着圧縮部２が形成される。上記押し込みの工程を通過した表面シート１２は、ライン搬送進行方向への張力を受けることにより、図６の（Ｃ）に示すような断面形状を有するが、表面シート１２は、製造ラインからはずされ、搬送張力から開放されると、図６の（Ｄ）に示すように、融着圧縮部２を取り囲むように凹部３または低密度領域が形成される。
また、本発明の方法によれば、表面シートの厚み方向最上面は、押し込みの工程において、張力により、表面シートの厚み方向内部よりも大きく引き伸ばされるので、そして表面シートが不織布からなる場合は不織布を構成する繊維同士が引き伸ばされる方向に引き離されるので、押し込みの工程後の表面シートの非融着圧縮部の厚み方向最上面２１の密度は、非融着圧縮部の厚み方向内部２２の密度よりも小さくなる。
【００２４】
複数の凹部を有する部材の凹部の深さは、０．５〜３．５ｍｍが好ましく、より好ましくは１．０〜３．０ｍｍである。凹部の深さが小さすぎると、得られる表面シートの融着圧縮部が表面シートの厚み方向最下面よりも上（表面シートのおもて面側）になってしまう。逆に、凹部の深さが大きすぎると、融着圧縮部の周縁が破けたりする。
複数の凸部を有する部材の凸部の高さは、複数の凹部を有する部材の凹部の深さよりも加工前の表面シートの厚さ以上大きいことが好ましい。たとえば、凸部の高さは凹部の深さよりも１〜５ｍｍ大きいことが好ましく、より好ましくは１．２〜３．０ｍｍ大きいことが好ましい。凸部の高さが小さすぎると、融着圧縮部以外の部分も圧縮されてしまう。逆に、凸部の高さが大きすぎると、押し込みの際に十分な圧力をかけることが困難になる。
【００２５】
押し込みの際の複数の凸部を有する部材と複数の凹部を有する部材が合わさったときの間隔（クリアランス）は、０．０〜０．１ｍｍが好ましく、より好ましくは０．０〜０．０５ｍｍである。クリアランスが開きすぎると融着圧縮できない。
【００２６】
複数の凸部を有する部材および複数の凹部を有する部材の好ましい温度は、表面シートを構成する素材によって異なる。表面シートが不織布からなる場合は、１０５〜１４０℃が好ましく、より好ましくは１１５〜１３０℃である。温度が低すぎると、融着することができない。逆に、温度が高すぎると、硬くなったり、溶けて孔が開いたりする。表面シートがポリエチレンネットからなる場合は、６０〜９０℃が好ましく、より好ましくは７０〜８０℃である。温度が低すぎると融着することができない。逆に、温度が高すぎると、溶けて孔が開いてしまう。
【００２７】
押し込みの際の圧力は、１６０〜７００ＭＰａが好ましく、より好ましくは２５０〜５２０ＭＰａである。圧力が低すぎると、十分に融着圧縮できない。逆に、圧力が高すぎると、エンボスロールが壊れてしまう。
【００２８】
本発明の表面シートの製造に用いられる複数の凸部を有する部材および複数の凹部を有する部材としては、ロール形状で回転体で融着圧縮するもののほか、プレートで挟み込んで融着圧縮するものでもよい。また、融着圧縮させる方法としては、複数の凸部を有する部材および複数の凹部を有する部材を表面シートを十分に軟化させられる温度に加温する方法のほか、超音波接合にて融着圧縮させる方法でもよい。
【００２９】
表面シートが表面層とセカンド層の２層からなる場合は、１つの工程だけで、表面層とセカンド層を接合させると同時に、融着圧縮部が表面シートの厚み方向最下面に位置する表面シートを得ることができる。また、任意の表面層とセカンド層の２つのシートを１つの加工工程により、凹凸表面構造を有する吸収性物品の表面シートを得ることができるため、高価な材料に制限されることが無いためコストを低減でき、また製造ラインもコンパクトで簡素化でき、設備コストも抑えることができる。
【実施例】
【００３０】
実施例
（芯／鞘）＝（ポリエチレンテレフタレート／ポリエチレン）の２．６ｄｔｅｘと２．２ｄｔｅｘと（芯／鞘）＝（ポリプロピレン／ポリエチレン）の３．３ｄｔｅｘの繊維を混綿し、トータルで３０ｇｓｍに調整し、エアスルー法にて得られた不織布を表面層として使用し、（芯／鞘）＝（ポリプロピレン／ポリエチレン）の２．２ｄｔｅｘと３．３ｄｔｅｘの繊維を混綿し、トータルで３８ｇｓｍに調整しエアスルー法にて得られた不織布をセカンド層として使用し、表面層とセカンド層の間にホットメルト接着剤を１０ｇｓｍで１．０ｍｍ幅を２．０ｍｍピッチで塗工した。
【００３１】
先端が直径１．４ｍｍの円形である高さ２．８ｍｍの円柱状の凸部を、ＭＤ方向とＣＤ方向それぞれ６．０ｍｍピッチで千鳥状に周面上に配置した金属ロール（以下、凸部形状金属ロールという。）を複数の凸部を有する部材として用い、複数の凹部を有する部材としては、凸部形状金属ロールと対をなして噛み合うことが可能な金属ロールで、凸部形状金属ロールの円柱状凸部よりも一回り径が大きく、深さが１．４ｍｍの凹部を、凸部形状金属ロールと噛み込ませた時に、凸部形状金属ロール上の円柱状凸部と相対する位置になるように配置されている金属ロール（以下、凹部形状金属ロールという。）を用いた。表面層とセカンド層をホットメルト接着剤にて貼り合せた積層体を、凸部形状金属ロールと凹部形状金属ロールの間に挟み込み、２５０ＭＰａの圧力を加えて融着圧縮部を形成させた。温度は、凸部形状金属ロール、凹部形状金属ロール共に１２５℃に加温し、クリアランスは、凸部の先端と凹部の底面が０．０ｍｍになるように設定した。
【００３２】
１．４ｍｍφの円形の融着圧縮部が千鳥状に配置され、各融着圧縮部のＭＤ方向とＣＤ方向のピッチが６ｍｍである、複数の融着圧縮部を有する表面シートが得られた。得られた表面シートをＭＤ方向（図１のＡ−Ａ′線）に切断し、その断面を顕微鏡で観察した。顕微鏡写真を図７および図８に示す。
【００３３】
得られた表面シートに、吸収体およびバックシートを積層して、長手方向２５ｃｍの生理用ナプキンを作成した。作成した生理用ナプキンについて拡散評価を行った。拡散評価は、６ｍＬの人工経血（粘度が２２〜２６ｍＰａ・ｓの範囲にあるもの）を１５ｍＬ／分の流量で滴下し、人工経血の拡散領域の縦方向（ＭＤ）と横方向（ＣＤ）の長さを測定し、それらを掛け合わせた長方形の面積を算出し、拡散面積とした。３６個の試料について得られた拡散面積の平均値は６９４ｃｍ2、拡散面積の最小値は４２８ｃｍ2、拡散面積の最大値は８６８ｃｍ2であった。
また、作成した生理用ナプキンについて表面の速乾性評価を行った。表面の速乾性評価は、生理用ナプキンの肌当接面側に、６ｍＬの人工経血を９５ｍＬ／分の流量で滴下した後、１分後、３分後、５分後および７分後に、カトーテック(株)製フィンガーロボットサーモラボＫＥＳ−Ｆ７を用いて、生理用ナプキンの表面の滴下位置（色の一番濃いところ）のＱｍａｘ（熱移動速度）を測定する。Ｑｍａｘの値が大きいほど濡れを感じる。３つの試料について得られたＱｍａｘの平均値は、１分後に０．２０８、３分後に０．１５０、５分後に０．１１８、そして７分後に０．０９７であった。
【００３４】
比較例
凹部形状金属ロールに代えて、凹部を有しない通常の平らな金属ロールを用い、その他の条件は前述の実施例と同様にして、複数の融着圧縮部を有する表面シートを得た。得られた表面シートをＭＤ方向に切断し、その断面を顕微鏡で観察した。顕微鏡写真を図９に示す。その顕微鏡写真によれば、比較例の表面シートの融着圧縮部は、表面シートの厚み方向最下面に位置していないことが分かる。
【００３５】
得られた表面シートに、吸収体およびバックシートを積層して、長手方向２５ｃｍの生理用ナプキンを作成した。作成した生理用ナプキンについて、実施例と同様に拡散評価を行ったところ、拡散面積の平均値は１４４０ｃｍ2、拡散面積の最小値は１１９０ｃｍ2、拡散面積の最大値は１７７１ｃｍ2であり、経血の平面的な広がりは実施例に比べ大きかった。
また、作成した生理用ナプキンについて、実施例と同様に表面の速乾性評価を行った。３つの試料について得られたＱｍａｘの平均値は、１分後に０．２５７、３分後に０．１９１、５分後に０．１７４、そして７分後に０．１４８であり、表面の速乾性は実施例に比べ劣っていた。
【図面の簡単な説明】
【００３６】
【図１】本発明の吸収性物品用表面シートの１つの実施態様の平面図である。
【図２】本発明の吸収性物品用表面シートの１つの実施態様の断面図である。
【図３】本発明の吸収性物品用表面シートの別の実施態様の断面図である。
【図４】本発明の吸収性物品用表面シートのさらに別の実施態様の断面図である。
【図５】本発明の吸収性物品用表面シートのさらに別の実施態様の断面図である。
【図６】本発明の吸収性物品用表面シートを製造するために用いることができる複数の凸部を有する部材と複数の凹部を有する部材の断面図、およびそれらの部材を用いた本発明の吸収性物品用表面シートの製造工程の１つの例を示す。
【図７】本発明の実施例において得られた吸収性物品用表面シートの断面の顕微鏡写真である。
【図８】本発明の実施例において得られた吸収性物品用表面シートの断面の顕微鏡写真である。
【図９】本発明の比較例において得られた吸収性物品用表面シートの断面の顕微鏡写真である。
【符号の説明】
【００３７】
１    表面シート
２    融着圧縮部
３    凹部
４    低密度領域
５    表面層
６    セカンド層
７    隆起部
８    側壁部
９    隆起部の頂上部
１０    複数の凸部を有する部材
１１    複数の凹部を有する部材
１２    表面シート
１３    凸部
１４    凹部
１５    凸部の先端
１６    凹部の底部
１７    突出部
１８    融着圧縮部の表面シート裏面側の面
１９    融着圧縮部の表面シート裏面側の面を含む平面
２０    非融着圧縮部の表面シート裏面の最下部
２１    非融着圧縮部の厚み方向最上面
２２    非融着圧縮部の厚み方向内部
【図１】
0005441356.tif 000002
【図２】
0005441356.tif 000003
【図３】
0005441356.tif 000004
【図４】
0005441356.tif 000005
【図５】
0005441356.tif 000006
【図６】
0005441356.tif 000007
【図７】
0005441356.tif 000008
【図８】
0005441356.tif 000009
【図９】
0005441356.tif 000010